(57)【特許請求の範囲】
【請求項１】
カミソリヘッドと、ハンドルと、を備え、前記カミソリヘッドは、皮膚係合部分に１つまたは複数の電極を備えており、前記ハンドルは、信号発生回路と、電源と、前記電源から前記信号発生回路へ及び前記信号発生回路から前記カミソリヘッドへ電気インパルスを伝送するインパルス伝送手段と、を有する皮膚を通して電気的に神経を刺激するカミソリ装置。
【請求項２】
前記１つまたは複数の電極は、前記カミソリヘッドの少なくとも１つのカミソリ刃、カミソリガード・バー、キャップ、シェービング補助部材のうちの１つまたは複数のものを含む請求項１に記載のカミソリ装置。
【請求項３】
前記１つまたは複数の電極は、少なくとも１つのカミソリ刃を有する請求項２に記載のカミソリ装置。
【請求項４】
前記１つまたは複数の電極は、２つ又はそれ以上のカミソリ刃を有する請求項３に記載のカミソリ装置。
【請求項５】
前記電気インパルス伝送手段は、ワイヤである請求項２に記載のカミソリ装置。
【請求項６】
前記カミソリヘッドは、１つまたは複数の電極に直接接触する少なくとも１つの２つの電気接点を有する請求項５に記載のカミソリ装置。
【請求項７】
前記少なくとも２つの電気接点は導電性ストリップを有する請求項６に記載のカミソリ装置。
【請求項８】
前記導電性ストリップは、導電性プラスティック、銅、ステンレススチール、導電性インク、導電性エポキシ又はその混合物から成る１つまたは複数のグループを有する請求項７に記載のカミソリ装置。
【請求項９】
前記電源は、１つまたは複数の電池である請求項８に記載のカミソリ装置。
【請求項１０】
前記１つまたは複数の電池は、約１ないし約５０ボルトの範囲の電圧を発生する請求項９に記載のカミソリ装置。
【請求項１１】
前記信号発生回路は、約０．２ないし約５０ボルトの範囲である電気インパルス振幅を有する請求項９に記載のカミソリ装置。
【請求項１２】
前記信号発生回路は、約１ないし約６ボルトの範囲である電気インパルス振幅を有する請求項１１に記載のカミソリ装置。
【請求項１３】
前記信号発生回路は、約５ないし約３０ボルトの範囲である電気インパルス振幅を有する請求項１１に記載のカミソリ装置。
【請求項１４】
前記信号発生回路は、約１Ｈｚないし約１００００Ｈｚの範囲である周波数の範囲を有する請求項９に記載のカミソリ装置。
【請求項１５】
前記信号発生回路は、約５０Ｈｚないし約５００Ｈｚの範囲である周波数の範囲を有する請求項１４に記載のカミソリ装置。
【請求項１６】
前記信号発生回路は、約１Ｈｚないし約２５０Ｈｚの範囲である周波数の範囲を有する請求項１４に記載のカミソリ装置。
【請求項１７】
前記信号発生回路は、約０．０１％ないし約５０％の範囲のデューティサイクルを提供する請求項９に記載のカミソリ装置。
【請求項１８】
前記信号発生回路は、約２５％ないし約５０％の範囲のデューティサイクルを提供する請求項１７に記載のカミソリ装置。
【請求項１９】
前記信号発生回路は、約０．０５％ないし約２５％の範囲のデューティサイクルを提供する請求項１７に記載のカミソリ装置。
【請求項２０】
前記カミソリヘッド及びハンドルは、互いに一体的である請求項１に記載のカミソリ装置。
【請求項２１】
皮膚を通して神経を電気刺激する装置が作動していることをユーザに知らせるインジケータを有する請求項１に記載のカミソリ装置。
【請求項２２】
皮膚を通して神経を電気刺激する装置とともに使用するカミソリカートリッジであって、１つまたは複数の電気接点を有し、前記１つまたは複数の電気接点は、１つまたは複数の電気接点と直接接触するカミソリカートリッジ。
【請求項２３】
前記１つまたは複数の電極は、前記カミソリカートリッジの少なくとも１つのカミソリ刃、カミソリガード・バー、キャップ、シェービング補助部材のうちの１つまたは複数のものを含む請求項２２に記載のカミソリカートリッジ。
【請求項２４】
前記１つまたは複数の電極は、少なくとも１つのカミソリ刃を有する請求項２３に記載のカミソリカートリッジ。
【請求項２５】
前記１つまたは複数の電極は、２つ又はそれ以上のカミソリ刃を有する請求項２４に記載のカミソリカートリッジ。
【請求項２６】
前記カミソリヘッドは、１つまたは複数の電極に直接接触する少なくとも２つの電気接点を有する請求項２２に記載のカミソリカートリッジ。
【請求項２７】
前記少なくとも２つの電気接点は導電性ストリップを有する請求項２６に記載のカミソリカートリッジ。
【請求項２８】
前記導電性ストリップは、導電性プラスティック、銅、ステンレススチール、導電性インク、導電性エポキシ又はその混合物から成る１つまたは複数のグループを有する請求項２７に記載のカミソリカートリッジ。
【請求項２９】
皮膚を通して電気的に神経を刺激するカミソリ装置とともに使用するカミソリハンドルであって、カミソリカートリッジに取り付ける上端と、信号発生回路と、電源と、前記電源から前記信号発生回路へ及び前記信号発生回路からカミソリハンドルに隣接した位置へ電気インパルスを伝送するインパルス伝送手段と、を有するカミソリハンドル。
【請求項３０】
前記電気インパルス伝送手段は、ワイヤである請求項２９に記載のカミソリハンドル。
【請求項３１】
前記電源は、１つまたは複数の電池である請求項２９に記載のカミソリハンドル。
【請求項３２】
前記１つまたは複数の電池は、約１ないし約５０ボルトの範囲の電圧を発生する請求項３１に記載のカミソリハンドル。
【請求項３３】
前記信号発生回路は、約０．２ないし約５０ボルトの範囲である電気インパルス振幅を有する請求項２９に記載のカミソリハンドル。
【請求項３４】
前記信号発生回路は、約１ないし約６ボルトの範囲である電気インパルス振幅を有する請求項３３に記載のカミソリハンドル。
【請求項３５】
前記信号発生回路は、約５ないし約３０ボルトの範囲である電気インパルス振幅を有する請求項３３に記載のカミソリハンドル。
【請求項３６】
前記信号発生回路は、約１Ｈｚないし約１００００Ｈｚの範囲である周波数の範囲を有する請求項２９に記載のカミソリハンドル。
【請求項３７】
前記信号発生回路は、約５０Ｈｚないし約５００Ｈｚの範囲である周波数の範囲を有する請求項３６に記載のカミソリハンドル。
【請求項３８】
前記信号発生回路は、約１Ｈｚないし約２５０Ｈｚの範囲である周波数の範囲を有する請求項３６に記載のカミソリハンドル。
【請求項３９】
前記信号発生回路は、約０．０１％ないし約５０％の範囲のデューティサイクルを提供する請求項２９に記載のカミソリハンドル。
【請求項４０】
前記信号発生回路は、約２５％ないし約５０％の範囲のデューティサイクルを提供する請求項３９に記載のカミソリハンドル。
【請求項４１】
前記信号発生回路は、約０．０５％ないし約２５％の範囲のデューティサイクルを提供する請求項３９に記載のカミソリハンドル。
【請求項４２】
皮膚を通して神経を電気刺激する装置が作動していることをユーザに知らせるインジケータを有する請求項２９に記載のカミソリハンドル。
【請求項４３】
皮膚を通して神経を電気刺激する手段を有するシェービング中に生じる痛み若しくは不快感を低減するカミソリ装置。
【請求項４４】
前記皮膚を通して電気的に神経を刺激するカミソリ装置は、カミソリヘッドと、ハンドルと、を備え、前記カミソリヘッドは、皮膚係合部分に１つまたは複数の電極を備えており、前記ハンドルは、信号発生回路と、電源と、前記電源から前記信号発生回路へ及び前記信号発生回路から前記カミソリヘッドへ電気インパルスを伝送するインパルス伝送手段と、を有する請求項４３に記載のカミソリ装置。
【請求項４５】
皮膚を通して電気的に神経を刺激する装置を有するシェービング中にユーザに触覚を与えるカミソリ装置。
【請求項４６】
前記皮膚を通して電気的に神経を刺激するカミソリ装置は、カミソリヘッドと、ハンドルと、を備え、前記カミソリヘッドは、皮膚係合部分に１つまたは複数の電極を備えており、前記ハンドルは、信号発生回路と、電源と、前記電源から前記信号発生回路へ及び前記信号発生回路から前記カミソリヘッドへ電気インパルスを伝送するインパルス伝送手段と、を有する請求項４５に記載のカミソリ装置。
【請求項４７】
皮膚を通して神経を電気刺激する手段を有するシェービング中にユーザーに生じる痛み若しくは不快感を低減するカミソリ装置。
【請求項４８】
前記皮膚を通して電気的に神経を刺激するカミソリ装置は、カミソリヘッドと、ハンドルと、を備え、前記カミソリヘッドは、皮膚係合部分に１つまたは複数の電極を備えており、前記ハンドルは、信号発生回路と、電源と、前記電源から前記信号発生回路へ及び前記信号発生回路から前記カミソリヘッドへ電気インパルスを伝送するインパルス伝送手段と、を有する請求項４７に記載のカミソリ装置。
【請求項４９】
皮膚を通して電気的に神経を刺激する装置を有するシェービング中に女性ユーザに触覚を与えるカミソリ装置。
【請求項５０】
前記皮膚を通して電気的に神経を刺激するカミソリ装置は、カミソリヘッドと、ハンドルと、を備え、前記カミソリヘッドは、皮膚係合部分に１つまたは複数の電極を備えており、前記ハンドルは、信号発生回路と、電源と、前記電源から前記信号発生回路へ及び前記信号発生回路から前記カミソリヘッドへ電気インパルスを伝送するインパルス伝送手段と、を有する請求項４９に記載のカミソリ装置。
【請求項５１】
前記信号発生回路は、約０．２ないし約５０ボルトの範囲である電気インパルス振幅を有する請求項５０に記載のカミソリ装置。
【請求項５２】
前記信号発生回路は、約５ないし約３０ボルトの範囲である電気インパルス振幅を有する請求項５１に記載のカミソリ装置。
【請求項５３】
前記信号発生回路は、約１Ｈｚないし約１００００Ｈｚの範囲である周波数の範囲を有する請求項５０に記載のカミソリ装置。
【請求項５４】
前記信号発生回路は、約１Ｈｚないし約２５０Ｈｚの範囲である周波数の範囲を有する請求項５３に記載のカミソリハンドル。
【請求項５５】
前記信号発生回路は、約０．０１％ないし約５０％の範囲のデューティサイクルを提供する請求項５０に記載のカミソリ装置。
【請求項５６】
前記信号発生回路は、約０．０５％ないし約２５％の範囲のデューティサイクルを提供する請求項５５に記載のカミソリ装置。
【請求項５７】
皮膚を通して電気的に神経を刺激する装置を有するシェービング中に男性ユーザに生じる痛みまたは不快感を低減するカミソリ装置。
【請求項５８】
前記皮膚を通して電気的に神経を刺激するカミソリ装置は、カミソリヘッドと、ハンドルと、を備え、前記カミソリヘッドは、皮膚係合部分に１つまたは複数の電極を備えており、前記ハンドルは、信号発生回路と、電源と、前記電源から前記信号発生回路へ及び前記信号発生回路から前記カミソリヘッドへ電気インパルスを伝送するインパルス伝送手段と、を有する請求項５７に記載のカミソリ装置。
【請求項５９】
皮膚を通して電気的に神経を刺激する装置を有する、シェービング中に男性ユーザにある触覚を与えるカミソリ装置。
【請求項６０】
前記皮膚を通して電気的に神経を刺激するカミソリ装置は、カミソリヘッドと、ハンドルと、を備え、前記カミソリヘッドは、皮膚係合部分に１つまたは複数の電極を備えており、前記ハンドルは、信号発生回路と、電源と、前記電源から前記信号発生回路へ及び前記信号発生回路から前記カミソリヘッドへ電気インパルスを伝送するインパルス伝送手段と、を有する請求項５９に記載のカミソリ装置。
【請求項６１】
前記信号発生回路は、約０．２ないし約５０ボルトの範囲である電気インパルス振幅を有する請求項６０に記載のカミソリ装置。
【請求項６２】
前記信号発生回路は、約１ないし約６ボルトの範囲である電気インパルス振幅を有する請求項６１に記載のカミソリ装置。
【請求項６３】
前記信号発生回路は、約１Ｈｚないし約１００００Ｈｚの範囲である周波数の範囲を有する請求項６０に記載のカミソリ装置。
【請求項６４】
前記信号発生回路は、約５０Ｈｚないし約５００Ｈｚの範囲である周波数の範囲を有する請求項６３に記載のカミソリ装置。
【請求項６５】
前記信号発生回路は、約０．０１％ないし約５０％の範囲のデューティサイクルを提供する請求項６０に記載のカミソリ装置。
【請求項６６】
前記信号発生回路は、約２５％ないし約５０％の範囲のデューティサイクルを提供する請求項６５に記載のカミソリ装置。
【請求項６７】
シェービング中に痛みと不快感を低減する方法であって、
カミソリ装置を提供するステップを有し、前記カミソリ装置は、カミソリヘッドとハンドルとを備え、前記カミソリヘッドは、皮膚係合部分に１つまたは複数の電極を備えており、前記ハンドルは、信号発生回路と、電源と、前記電源から前記信号発生回路へ及び前記信号発生回路から前記カミソリヘッドへ電気インパルスを伝送するインパルス伝送手段とを有する、方法。
【請求項６８】
前記電極を通して電気インパルスを提供することを有する請求項６７に記載の方法。
【請求項６９】
シェービング中にユーザに触覚を与える方法であって、
カミソリ装置を提供するステップを有し、前記カミソリ装置は、カミソリヘッドと、ハンドルと、を備え、前記カミソリヘッドは、皮膚係合部分に１つまたは複数の電極を備えており、前記ハンドルは、信号発生回路と、電源と、前記電源から前記信号発生回路へ及び前記信号発生回路から前記カミソリヘッドへ電気インパルスを伝送するインパルス伝送手段とを有する、方法。
【請求項７０】
前記電極を通して電気インパルスを提供することを有する請求項６９に記載の方法。
【請求項７１】
カミソリヘッドと、ハンドルと、を備え、前記カミソリヘッドは、皮膚係合部分に１つまたは複数の電極を備えており、前記ハンドルは、信号発生回路と、電源と、前記電源から前記信号発生回路へ及び前記信号発生回路から前記カミソリヘッドへ電気インパルスを伝送するインパルス伝送手段と、を有するシェービング装置。
【発明の詳細な説明】
【０００１】
【発明の属する技術分野】
本発明は、シェービングの質を高めるために皮膚を通して神経を刺激するカミソリ装置に関する。
【０００２】
【従来の技術】
特に、敏感な皮膚を有する人が湿式カミソリでシェービングを行う際、往々にして不快感を感じるか、または痛みを伴うことがある。この不快感又は痛みの大部分は、小胞に隣接した皮膚内の多数の神経の刺激に関連している。この不快感を低減するか、またはなくすための努力が長年にわたって行われてきたが、その効果はまちまちである。
【０００３】
皮膚を介して神経を電気刺激することを通して痛みを緩和すること（「ＴＥＮ」）は、変遷を通して公知である。現在の技術は、人々を慢性の痛みから開放するために電圧又は電流対時間の波形を発生する電気回路を用ることである。ＴＥＮＳが作動する正確な機構は、完全には理解しえていないが理論的にはＴＥＮが神経を電気的に刺激することによって作動し、痛みを感じないように神経からの信号をブロックし、痛みを緩和するエンドルフィンを放出し、局所的な生物化学的な相互作用によって結果として痛みを緩和することを提案している。現在の技術は、皮膚上に電極を設け、皮膚を通して下の神経繊維に電気インパルスを伝達するようにしている。この結果、感覚が患者の痛みのしきい値にまで調整されるが、患者の感覚限度か、又はそれ以下の刺激を与えることが、痛みを制御する際に有利であると考えられている。
【０００４】
【発明が解決しようとする課題】
神経の電気刺激は、痛みを緩和するだけでなく、皮膚内の神経構造によって新しい感覚を生じることができる。皮膚内の神経は、機械的、熱的及び電気的触感発生的な刺激に対して非常に敏感である。種々の組み合わせにおいて、これらの感覚を刺激することによって、触覚に１つの経験を与える。神経を刺激する装置は、神経のインパルスを伝導するために生体電気法を用いる。この電気刺激を用いることによって、温かさ又は振動の感じのような通常の刺激によって生じる感覚をまねることが可能である。その結果、皮膚を通す神経刺激は、痛みを緩和するか、又はなくすために使用するだけでなく、シェービングの感じを変えるために使用することもできる。
【０００５】
新しい触覚の体験を与えながら、シェービングから生じる痛みまたは、不快感を低減するか、完全になくすＴＥＮ装置を含むカミソリ装置を提供することが有利である。その結果、ＴＥＮ装置は、シェービングの質全体を改良する。
【０００６】
【課題を解決するための手段】
本発明は、皮膚を通して神経を電気刺激する湿式カミソリ装置に関する。この装置のカミソリカートリッジは、少なくとも２つの電極を、好ましくは刃を有し、装置は、電気的な波形を発生する十分な電気を含む。電極は、カミソリカートリッジ内の電気的な接点に隣接し、接点は、ワイヤを介して、１つまたは複数の電池に接続されている信号発生回路に接続されている。電池は、電圧と、信号処理ユニットによって波形に変換される電流を生じる。この波形は、電極に伝達され、ＴＮＳ装置から皮膚及び組織にエネルギーを伝達する電気刺激を生じる。この皮膚への効果は、シェービング過程によって生じる不快感または痛みを低減し、皮膚に新しい感覚的な体験を与えることである。
【０００７】
【発明の実施の形態】
以下、本発明の一実施の形態を図面を参照して詳細に説明する。
この用途を目的として、湿式カミソリは、せっけんとシェービング・クリーム及び温水と関連して用いられるカミソリを意味する。湿式カミソリの定義は、ある回数使用した後、ユーザがユニット全体を廃棄する使い捨てカミソリと、ある回数使用した後に、ユーザがカミソリカートリッジを廃棄して新しいカートリッジと交換する永久的な装置の双方を含むものである。双方の場合、カミソリヘッドまたはカートリッジは、１つまたは複数の刃を包囲し、収容する部分である。永久的な型式又は使い捨て型のカミソリヘッド及びハンドルの組み合わせは、カミソリ装置として定義される。
【０００８】
本発明は、皮膚を通して下の神経繊維に伝達される電気インパルスをつくる１つまたは複数の電極を備えた皮膚を通して神経を電気的に刺激する（ＴＥＮ）湿式カミソリ装置提供する。神経を電気刺激することによって、シェービング過程によって生じる不快感または痛みを低減するか、なくすと同時に触覚を向上する。ＴＥＮが痛みを低減し、なくす正確な機構は知られていないが、ＴＥＮは痛みを知覚しないように、神経からの信号をブロックし、痛みを低減するエンドルフィンを放出し、痛みを局所的な生物化学的な相互作用によって結果として痛みを緩和する。電気刺激は、暖かみ又は振動の感覚のような通常の刺激によって生じる感じをまねその結果シェービングの感じを変えるために使用することができる。
【０００９】
図１及び図２に示すように、ＴＥＮカミソリ装置と共に使用するカミソリカートリッジは、２つのカミソリ刃１１，１１aである。２つの刃を有する非使い捨てカミソリカートリッジを示したが、使い捨ての、及び/又は1つ、３つ、又はそれ以上の刃を有するＴＥＮカミソリ装置を有することも本発明の範囲内である。導電材料を有する１つまたは複数の電極は、カートリッジ内の皮膚係合部分内にある。好ましくは、電極は、刃１１，１１a である。しかしながら、電極は、導電性のカートリッジの皮膚係合部分であってもよい。例えば、ガ−ド・バー１７又はキャップシェービング補助部材１８も、電気的な活性材料を使用するときに電極として作用するようにしてもよい。電極として使用する種々の電気的な活性材料の例は、ステンレススチール、銅又は他の金属をも含む。
【００１０】
電極、好ましくは、ステンレススチール１１，１１aは、カートリッジの各端部に配置されることが好ましい電気接点１２，１２aに直接接触する。電気接点は、電極からカートリッジのに隣接した点まで伸びる導電ストリップを有する。電気接点は、導電性プラスティックから成ることが好ましいが、それらは、銅及びステンレススチールのような金属、又は導電性インク、又はエポキシから成る。
【００１１】
図３は、カミソリ装置全体を形成するためにカミソリハンドル１５の所定の位置に配置されたカートリッジ１０を示す。カートリッジがハンドルの所定の位置にあるとき、電気接点１２，１２aは、ハンドルの上端からハンドルを通ってハンドル内に配置された信号発生回路に伸びているワイヤ１３に接触する。信号発生回路は、最適のシェービング体験を提供するために設定された振幅、周波数、パルス幅を有する電気パルスを発生する。このパルスは、変調され、それらの形状を変化することができる。パルスは、１つまたは複数のパルスを有する１つまたは複数のパルスシーケンスから成る。また、ワイヤを介して信号発生回路が電源、好ましくは電池１６に取り付けられている。電池は、信号発生回路を起動するために約１ボルトないし約５０ボルトの範囲の電圧を生じるように十分に強力でなければならない。適当な電池の好ましい例は、ニッケルカドミウム、金属ヒドライト、アルカリのようなリチウム、またはプライマリ非再充電可能な電池、二次再充電可能な電池を含む。標準の交流及びソーラエネルギーのような他の電源も利用することができる。ＡＣ電源を用いる場合、カミソリハンドルは、単に電気コード及び壁のプラグに接続されるが、ソーラエネルギーを用いる場合には、カミソリ装置の一部をソーラーパネルに接続する。
【００１２】
信号発生回路は、電池からの電圧を処理し、電気的なインパルスをつくり、このインパルスは、ハンドル１６を通ってワイヤ１３を介して電気接点１２，１２aに送られ、カミソリカートリッジの皮膚係合電極、好ましくは刃１１，１１aの皮膚係合電極に送られる。最後に、電極は、シェービング領域の皮膚を通して神経繊維に伝達される。図示しない他の実施の形態において、ワイヤはハンドルを越えて十分に伸び、さらに電気接点を必要とはしないで電極に直接接触する。別の例として、電極は、カートリッジの本体の外側の点で電極がワイヤに接触するようにカートリッジを越えて伸びる。好ましい実施の形態において、電気パルスは、ユーザのシェービングの感じを向上するのに十分である。しかしながら、インパルスは、ユーザが最も望む感覚と、シェービングする身体の面積に応じて変化する。顔をシェービングするとき、男性のユーザの好ましいインパルス振幅は、約１ボルトないし約６ボルトの範囲であるが、顔をシェービングする際の良好なそり心地において望ましい全体に可能なインパルス振幅範囲は、約０．２ボルトないし２５ボルトである。身体の他の領域をシェービングする女性のユーザは、約５ボルトから約３０ボルトの範囲のインパルス振幅を好むが、これらの他の領域におけるそり心地における全体のインパルス振幅の範囲は、約０．２ボルトないし５０ボルトである。そり後五智及び適当な感覚に最も望ましい周波数の範囲は、約１Ｈｚから約１０，０００Ｈｚである。男性のユーザの好ましい周波数の範囲は、約５０Ｈｚないし約５００Ｈｚである。身体の他の領域をシェービングする女性ユーザの最適な性能においては、約１Ｈｚないし約２５０Ｈｚが好ましい。望ましいシェービングの感じに依存して、デューティ・サイクルは、約０．０１％ないし約５０％の範囲である。顔をシェービングする男性ユーザの好ましいデューティ・サイクルは、約２５％ないし約５０％であるが、女性ユーザの好ましいデューティサイクルは、約０．０５％ないし約２５％の範囲である。さらに、波形の型式は公知のタイプである。シェービング人口の男性及び女性サブ・セグメントへの権利請求した発明の適用に加えて、うすいひげと濃いひげ、若い人と年配者、敏感な皮膚とそうでない皮膚のような他のサブセグメントのシェーバ、人種のサブグループにもアピールするように他の変形例を注文製作することができる。
【００１３】
図４は、本発明の他の実施の形態を示す。この実施形態において、インジケータ２０がワイヤに接続されている。インジケータ２０は、ワイヤを通って電流が流れるとき起動し、ＴＥＮ装置が作動していることをユーザに知らせる。例えば、インジケータ２０は、ユーザがＴＥＮ装置が作動していることを知るように目で見えるような光か、音を生じるノイズ発生器を含む。
【００１４】
本発明の好ましい実施の形態を示し説明したが、当業者は、本発明の範囲から逸脱せずに種々の変更、変形を行うことができるが、本発明の範囲内にあるこれらのすべての変形、改造を権威請求することを意図するものである。
【図面の簡単な説明】
【図１】皮膚を通して神経を電気刺激する装置に使用されるカミソリカートリッジの平面図である。
【図２】皮膚を通して神経を電気刺激する装置に使用されるカミソリカートリッジの側断面図である。
【図３】皮膚を通して神経を電気刺激する装置に使用されるカミソリカートリッジ及びハンドルの破断された平面図である。
【図４】皮膚を通して神経を電気刺激する装置の他の実施の形態に使用されるカミソリカートリッジ及びハンドルの破断された平面図である。
【符号の説明】
１０  カミソリカートリッジ
１１，１１ａ  カミソリ刃
１２，１２ａ  電気接点
１３  ワイヤ
１５  カミソリハンドル
１６  電池
１７  ガード・バー
【図１】
0004503738.tif 000002
【図２】
0004503738.tif 000003
【図３】
0004503738.tif 000004
【図４】
0004503738.tif 000005